(57)【特許請求の範囲】
【請求項１】
建築物の躯体部から張り出して設けられるベランダなどの張り出し領域に構築される増築ユニットであって、
前記張り出し領域に分散して設けられ、床材を支持する複数の柱脚と、
前記床材の外側に配置され、簡易構造物が取り付けられる桁本体と、
前記柱脚に締結される第１締結部および前記桁本体に設けられる第２締結部を備え、前記桁本体を前記柱脚に対して上下方向にオーバーラップさせて前記柱脚に取り付けられる支持部材とを有し、
前記桁本体を低くし得ることを特徴とする増築ユニット。
【請求項２】
請求項１記載の増築ユニットであって、前記支持部材は、Ｌ字材によって構成され、前記桁本体に締結されることを特徴とする増築ユニット。
【請求項３】
請求項１または２記載の増築ユニットであって、前記支持部材は、前記桁本体の長手方向の略全長に亘って形成されることを特徴とする増築ユニット。
【請求項４】
請求項１〜３の何れか１項に記載の増築ユニットであって、前記桁本体の上面にサッシを設けることを特徴とする増築ユニット。
【請求項５】
建築物の躯体部から張り出して設けられるベランダなどの張り出し領域に構築される簡易構造物を支持する桁材であって、
前記張り出し領域に設けられ、かつ床材が取り付けられる柱脚に取り付けられる桁本体と、
前記柱脚に締結される第１締結部材および前記桁本体に締結される第２締結部を備え、前記柱脚に取り付ける支持部材とを有し、
前記柱脚に対して上下方向にオーバーラップして前記桁本体を前記床材の外側に配置することを特徴とする桁材。
【請求項６】
請求項５記載の桁材であって、前記支持部材は、Ｌ字材によって構成され、前記桁本体に固定されることを特徴とする桁材。
【請求項７】
請求項５または６記載の桁材であって、前記支持部材は、前記桁本体の長手方向の略全長に亘って形成されることを特徴とする桁材。
【請求項８】
請求項５〜７の何れか１項に記載の桁材であって、前記桁本体の上面にサッシを設けることを特徴とする桁材。
【発明の詳細な説明】
【０００１】
【発明の属する技術分野】
本発明は、建築物の躯体部から張り出したベランダなどの張り出し領域に、サンルームもしくは温室などの簡易構造物を増築するための増築ユニットおよびそれを構成する桁材に関する。
【０００２】
【従来の技術】
建築物の躯体部から張り出したベランダなどの張り出し領域にサンルームもしくは温室などの簡易構造物を増築する場合、まず、張り出し領域の床面の周縁部および必要な箇所に、複数の柱脚を互いに所定間隔を隔てて立設する。次に、このように並設された柱脚の上端部間に、屋根の妻に沿った方向（以下、「はり方向」と称する）に相対するよう２本の前桁を架け渡し、屋根の軒に沿った方向（以下、「けた方向」と称する）に相対するよう妻桁を架け渡し、ボルトなどの結合手段を用いて、各柱脚に前桁および妻桁を結合する。次に、複数本の根太を妻桁と妻桁との間に互いに間隔を隔てて平行に配置し、その長手方向の両端を前桁に架け渡す。
【０００３】
簡易構造物は、少なくとも床板と屋根材と屋根材を支持する柱材もしくは壁材とを備えており、簡易構造物の床板を構成する床下地材が根太の上に敷設され、更にフロアパネルが敷き詰められる。妻桁と前桁には屋根材を支持する柱材もしくは壁材が設置され、その上に屋根材が取り付けられる。
【０００４】
このような従来技術によってベランダに簡易構造物を構築した場合、前桁および妻桁の高さ寸法分だけ、簡易構造物の床面が躯体部の床面よりも高くなってしまい、躯体部の履き出し口において、躯体部の床面と簡易構造物の床面との間に段差を生じていたため、この段差に歩行者が躓き、転倒事故を起こすおそれがあった。
【０００５】
しかも、簡易構造物の増築後は、躯体部の掃き出し口より上方に位置する簡易構造物の床面が躯体部のサッシ窓の窓枠と干渉し、サッシ窓の開閉が不可能となる。このため、簡易構造物と躯体部との間を行き来するには、常にサッシ窓が開いた状態にしなければならず、必ずしも使い勝手に優れているとは言えなかった。また、これは冷暖房効率の観点からも好ましくない。
【０００６】
【発明が解決しようとする課題】
本発明は上述のような従来技術の問題点に鑑みてなされたものであり、その目的は、躯体部の床面と簡易構造物の床面との間に段差のない、安全性の高い増築ユニットおよびそれを構成する桁材を提供することにある。
【０００７】
本発明の他の目的は、簡易構造物の増築後も躯体部のサッシ窓の開閉を行うことができ、従って、使い勝手と冷暖房効率とに優れた増築ユニットおよびそれを構成する桁材を提供することにある。
【０００８】
【課題を解決するための手段】
本発明の増築ユニットは、建築物の躯体部から張り出して設けられるベランダなどの張り出し領域に構築されるものであって、前記張り出し領域に分散して設けられ、床材を支持する複数の柱脚と、前記床材の外側に配置され、簡易構造物が取り付けられる桁本体と、前記柱脚に締結される第１締結部および前記桁本体に設けられる第２締結部を備え、前記桁本体を前記柱脚に対して上下方向にオーバーラップさせて前記柱脚に取り付けられる支持部材とを有し、前記桁本体を低くし得ることを特徴とする。
【０００９】
本発明の増築ユニットは、前記支持部材がＬ字材によって構成され、前記基台部に固定されることを特徴とする。
【００１０】
本発明の増築ユニットは、前記支持部材は、前記基台部の長手方向の略全長に亘って形成されることを特徴とする。
【００１１】
本発明の増築ユニットは、前記桁本体の上面にサッシを設けることを特徴とする。
【００１２】
本発明の増築ユニットによれば、前記桁本体は前記床材の外側に配置され、前記柱脚に対して上下方向にオーバーラップさせて前記柱脚に取り付けているので、前記桁本体の高さ寸法分だけ床面の高さ位置を下げることができ、従って、簡易構造物の床面と躯体部の床面とを略同じ高さ位置に揃えることができる。このため、躯体部の履き出し口において生じていた躯体部の床面と簡易構造物の床面との間の段差が解消され、安全性が向上する。しかも、従来技術と異なって、簡易構造物の増築後も、簡易構造物の床面が躯体部のサッシ窓の窓枠と干渉することなく、サッシ窓の開閉を行うことが出来るので、使い勝手が良くなり、冷暖房効率も向上する。
【００１３】
本発明の桁材は、建築物の躯体部から張り出して設けられるベランダなどの張り出し領域に構築される簡易構造物を支持するものであって、前記張り出し領域に設けられ、かつ床材が取り付けられる柱脚に取り付けられる桁本体と、前記柱脚に締結される第１締結部材および前記桁本体に締結される第２締結部を備え、前記柱脚に取り付ける支持部材とを有し、前記柱脚に対して上下方向にオーバーラップして前記桁本体を前記床材の外側に配置することを特徴とする。
【００１４】
本発明の桁材は、前記支持部材がＬ字材によって構成され、前記桁本体に固定されることを特徴とする。
【００１５】
本発明の桁材は、前記支持部材が前記桁本体の長手方向の略全長に亘って形成されることを特徴とする。
【００１６】
本発明の桁材は、前記桁本体の上面にサッシを設けることを特徴とする。
【００１７】
本発明の桁材によれば、前記桁本体を前記床材の外側に配置し、前記柱脚に対して上下方向にオーバーラップさせて前記柱脚に取り付けることによって、前記簡易構造物の床面の高さ位置を前記桁本体の高さ寸法分だけ下げることができ、従って、簡易構造物の床面と躯体部の床面とを略同じ高さ位置に揃えることができるので、簡易構造物の床面と躯体部の床面との間に段差が生じない、安全性が高く、使い勝手と冷暖房効率に優れた増築ユニットを提供できる。
【００１８】
【発明の実施の形態】
以下、本発明の実施の形態を図面に基づいて詳細に説明する。図１は本発明の増築ユニットを建築物に取り付けた後の状態を示す斜視図であり、図２は柱脚、桁および根太の位置関係を示す図１のＡ−A線に沿う拡大断面図であり、図３は図２のＢ−Ｂ線に沿う拡大断面図であり、図４は図２のＣ−Ｃ線に沿う拡大断面図であり、図５は図２のＤ−Ｄ線に沿う拡大断面図である。
【００１９】
図１および図２には建築物の一例として木造住宅が示されており、その２階部分には、「はり方向」Ｌに寸法Ｌ１、「けた方向」Ｗに寸法Ｗ１だけ張り出したベランダ１１が形成されている。
【００２０】
ベランダ１１の床面１１ａには、複数の柱脚１２が、「けた方向」Ｗに間隔Ｄ１を隔てて、「はり方向」Ｌに間隔Ｄ２を隔てて立設されている。通常、柱脚１２は、２間（＝3.64ｍ）に３本の割合で設けられており、この実施の形態における柱脚１２―１２間の間隔Ｄ１も、これに倣って設定されている。
【００２１】
本発明の増築ユニット２０は、ベランダ１１の「けた方向」Ｗの突出寸法Ｗ１に対応した長さ寸法を有する桁本体２１と、桁本体２１の片側側面から幅方向に突出する支持部材２２とを備えた前桁２３を有し、前桁２３は「はり方向」Ｌに互いに対向して配置され、支持部材２２が柱脚１２のベース板１２ａに掛け留められ、ボルト２７ａおよびナット２７ｂなどの結合手段によってベース板１２ａに固定されている。
【００２２】
また、本発明の増築ユニット２０は、ベランダ１１の「はり方向」Ｌの突出寸法Ｌ１に対応した長さ寸法を有する桁本体２４と、桁本体２４の片側側面から幅方向に突出する支持部材２５とを備えた妻桁２６を有し、妻桁２６は「けた方向」Ｗに互いに対向して配置され、支持部材２５が柱脚１２のベース板１２ａに掛け留められて、ボルト２７ａおよびナット２７ｂなどの結合手段によってベース板１２ａに固定されている。
【００２３】
妻桁２６−２６間には、複数の根太２８が互いに間隔Ｗ２を隔てて平行に配置され、前桁２３−２３間に架け渡されており、根太２８のそれぞれは、長手方向の両端部が前桁２３の支持部材２２の第１締結部２２ａによって支持されている。なお、根太２８のそれぞれは、図２に示すように、前桁２３−２３間に配置され、妻桁２６−２６間に架け渡された大引き３６によっても支持されている。
【００２４】
更に、本発明の増築ユニット２０は、複数本のフレームを縦横に組み合わせて構成された本体（図示しない）の「はり方向」Ｌの一面、「けた方向」Ｗの両面、天井部および底面部のそれぞれに、正面パネル２９、側面パネル３０、屋根材仕様３１および床３２を取り付けた簡易構造物３３を有し、簡易構造物３３は前桁２３および妻桁２６の上に構築される。
【００２５】
図３に示すように、前桁２３の桁本体２１の上面には、長手方向の略全長に亘って伸びるサッシ・レール３４が形成されており、簡易構造物３３を構成する正面パネル２９の凹部２９ａがサッシ・レール３４の凸部３４ａに嵌め合わされており、図４に示すように、妻桁２６の桁本体２４の上面には、長手方向の略全長に亘って伸びるサッシ・レール３５が形成され、簡易構造物３３を構成する側面パネル３０の凹部３０ａがサッシ・レール３５の凸部３５ａに嵌め合わされている。
【００２６】
図３および図４に示すように、簡易構造物３３の床３２は床下地材３２ａとフロア・パネル３２ｂとで構成されており、根太２８の上に床下地材３２ｂが敷設され、床下地材３２ｂの上にフロア・パネル３２ｂが敷き詰められている。
【００２７】
この実施の形態では、妻桁２３の桁本体２１および前桁２６の桁本体２４は、何れも押し出し加工成型されたアルミニウムによって構成されており、桁本体２１，２４の片側側面には、Ｌ字材（アングル材）でなる支持部材２２，２５の第２締結部２２ｂ，２５ｂがビス留め３７されている。支持部材２２，２５に使用されるＬ字材（アングル材）としては、厚さが５ｍｍ、短辺が５０ｍｍ、長辺が９５ｍｍの断面寸法を有するものが適している。支持部材２２，２５の桁本体２１，２４に対する締結手段としては、ビス留め３７以外に、溶接や接着剤による接合などを用いてもよい。
【００２８】
上述したように、本発明の増築ユニット２０によれば、従来技術に比較して、根太２８の載置位置を桁本体２１，２４の高さ寸法分だけ下げることができ、従って、簡易構造物３３の床面３２と躯体部１０の床面１０ａとを略同じ高さ位置に揃えることができる。このため、躯体部１０の履き出し口１０ｂにおいて生じていた、躯体部１０の床面１０ａと簡易構造物３３の床面３２との間の段差が解消され、安全性が向上する。しかも、従来技術と異なって、簡易構造物３３の増築後も、簡易構造物３３の床面３２が躯体部１０のサッシ窓１０ｃの窓枠と干渉することなく、サッシ窓１０ｃの開閉を行うことができるので、使い勝手が良くなり、冷暖房効率も向上する。
【００２９】
本発明は前記実施の形態に限定されるものではなく、その要旨を逸脱しない範囲で種々変更可能である。
【００３０】
たとえば、この実施の形態では、支持部材２２，２５は、図２に示す如く、それぞれ桁本体２１，２４の長手方向の略全長に亘って連続して設けられてもよいし、根太２８−２８間の間隔Ｗ２に対応し得るよう断続的に設けてもよい。また、この実施の形態では、支持部材２２，２５は桁本体２１，２４と別部材で構成されているが、一体的に形成されてもよい。更に、この実施の形態では、簡易構造物３３の一例として、正面パネル２９、側面パネル３０、屋根材仕様３１で囲まれたサンルームを挙げているが、このような閉鎖された空間を有する構造物ではなく、少なくとも床板と屋根材と屋根材を支持する柱材とを備えた雨避けのようなものについても、本発明を適用できる。
【００３１】
【発明の効果】
本発明の増築ユニットによれば、前記桁本体は前記床材の外側に配置され、前記柱脚に対して上下方向にオーバーラップさせて前記柱脚に取り付けているので、前記桁本体の高さ寸法分だけ床面の高さ位置を下げることができ、従って、簡易構造物の床面と躯体部の床面とを略同じ高さ位置に揃えることができる。このため、躯体部の履き出し口において生じていた躯体部の床面と簡易構造物の床面との間の段差が解消され、安全性が向上する。しかも、従来技術と異なって、簡易構造物の増築後も、簡易構造物の床面が躯体部のサッシ窓の窓枠と干渉することなく、サッシ窓の開閉を行うことができるので、使い勝手が良くなり、冷暖房効率も向上する。
【００３２】
本発明の桁材によれば、前記桁本体を前記床材の外側に配置し、前記柱脚に対して上下方向にオーバーラップさせて前記柱脚に取り付けることによって、前記簡易構造物の床面の高さ位置を前記桁本体の高さ寸法分だけ下げることができ、従って、簡易構造物の床面と躯体部の床面とを略同じ高さ位置に揃えることができるので、簡易構造物の床面と躯体部の床面との間に段差が生じない、安全性が高く、使い勝手と冷暖房効率に優れた増築ユニットを提供できる。
【図面の簡単な説明】
【図１】本発明の増築ユニットを建築物に取り付けた後の状態を示す斜視図である。
【図２】図１のＡ−A線に沿う拡大断面図である。
【図３】図２のＢ−Ｂ線に沿う拡大断面図である。
【図４】図２のＣ−Ｃ線に沿う拡大断面図である。
【図５】図２のＤ−Ｄ線に沿う拡大断面図である。
【符号の説明】
１０        躯体部
１０ａ      （躯体部の）床面
１０ｂ      掃き出し口
１０ｃ      サッシ窓
Ｌ          はり方向
Ｗ          けた方向
１１        ベランダ
１１ａ      床面
１２        柱脚
１２ａ      ベース板
Ｄ１，Ｄ２        間隔
２０        増築ユニット
２１，２４        桁本体
２２，２５        支持部材
２２ａ，２５ａ        第１締結部
２２ｂ，２５ｂ        第２締結部
２３        前桁
２６        妻桁
２７ａ      ボルト
２７ｂ      ナット
２８        根太
２９        サッシ・レール
２９        正面パネル
２９ａ      凹部
３０        側面パネル
３０ａ      凹部
３１        屋根材仕様
３２        床板
３２ａ      床下地材
３２ｂ      フロア・パネル
３３        簡易構造物
３４，３５          サッシ・レール
３４ａ，３５ａ      凸部
３６        大引き
３７        ビス留め
【図１】
0003697225.tif 000002
【図２】
0003697225.tif 000003
【図３】
0003697225.tif 000004
【図４】
0003697225.tif 000005
【図５】
0003697225.tif 000006